(57)【要約】【課題】マイナスイオンを供給する通風ダクト及び冷蔵庫に関し、簡便な構造で効果的なイオンの発生，供給を図る。【解決手段】イオンシート４２を風路構成用断熱材３９の冷却ダクト３５側に貼り付けることにより、吐出冷気に効率的にマイナスイオンを放出し、冷蔵室３６にマイナスイオンを供給することができる。また、シート材を冷却ダクト３５に貼り付けるので、貯蔵室背面構成部材内に無効なスペースを作る必要がなく冷蔵室３６の有効内容積を拡大することができる。【選択図】　図３
2004061014.tif 000002
【特許請求の範囲】
【請求項１】
マイナスイオンを発生するイオンシートを内壁面に配設した通風ダクト。
【請求項２】
マイナスイオンを発生するイオンシートを内部空間に配置した通風ダクト。
【請求項３】
イオンシートは柔軟性を有する部材で形成した請求項１または請求項２に記載の通風ダクト。
【請求項４】
イオンシートはイオン放出材をポリマーに混合した複合体を母材に付加した請求項１から請求項３のいずれか一項に記載の通風ダクト。
【請求項５】
イオンシートの表面に粘着材を付加した請求項３または請求項４に記載の通風ダクト。
【請求項６】
庫内を冷却する蒸発器と冷却ファンを有し、前記蒸発器と前記庫内を連通する通風ダクト内にイオンシートを備えたことを特徴とする冷蔵庫。
【請求項７】
イオンシートを蒸発器の上流側の吐出風路内に備えたことを特徴とする請求項６に記載の冷蔵庫。
【請求項８】
イオンシートを蒸発器の上流側の吸込み風路内に備えたことを特徴とする請求項６に記載の冷蔵庫。
【請求項９】
通風ダクト内に設けるイオンシートは、内箱と風路構成用断熱材と貯蔵室背面構成部材により構成した通風ダクトの、風路構成用断熱材に貼り付けたことを特徴とする請求項７に記載の冷蔵庫。
【請求項１０】
吐出風路内に設けるイオンシートは吐出口より５０ｍｍ以内に位置させたことを特徴とする請求項７に記載の冷蔵庫。
【請求項１１】
吐出風路内に設けるイオンシートは、風路構成用断熱材の冷気シール部から風路部まで貼り付けられ、前記イオンシート端部は冷気シール部で固定されたことを特徴とする請求項１０に記載の冷蔵庫。
【請求項１２】
吐出風路内に設けるイオンシートは、内箱に設けられた突起部により、風路構成用断熱材と前記突起部にて固定したことを特徴とする請求項１１に記載の冷蔵庫。
【請求項１３】
吸込み風路内に設けるイオンシートは、貯蔵室背面構成部材に凹みを設け、凹み部に貫通穴を有し、前記凹み部にイオンシートを配置したことを特徴とする請求項８に記載の冷蔵庫。
【請求項１４】
イオンシートを配置した凹み部にカバーを設けたことを特徴とする請求項１３に記載の冷蔵庫。
【請求項１５】
カバーは略透明材料からなることを特徴とする請求項１４に記載の冷蔵庫。
【請求項１６】
吸込み風路内に脱臭触媒とイオンシートを設け、前記脱臭触媒を前記イオンシートの下流側に設けたことを特徴とする請求項８に記載の冷蔵庫。
【請求項１７】
脱臭触媒とイオンシートを近接して配置したことを特徴とする請求項１６に記載の冷蔵庫。
【請求項１８】
野菜室を有する冷蔵庫において、前記野菜室にマイナスイオンを発生するイオンシートを設け、前記イオンシートは内箱に配設するとともに前記イオンシートの上方に庇を設けたことを特徴とする冷蔵庫。
【請求項１９】
庇を内箱で一体に形成したことを特徴とする請求項１８に記載の冷蔵庫。
【請求項２０】
イオンシートは丸形状としたことを特徴とする請求項１８に記載の冷蔵庫。
【請求項２１】
冷凍サイクルの冷媒に可燃性冷媒を用いたことを特徴とする請求項６から請求項２０のいずれか一項に記載の冷蔵庫。
【発明の詳細な説明】
【０００１】
【発明の属する技術分野】
本発明はマイナスイオンを発生して脱臭，抗菌作用を行わせるイオンシートを適用した、通風ダクト及び冷蔵庫に関するものである。
【０００２】
【従来の技術】
近年、冷蔵庫の庫内の食品の保存性向上あるいは庫内の脱臭、抗菌を目的にマイナスイオンを利用した冷蔵庫が開発されてきている。
【０００３】
このような冷蔵庫として、特開平８−１４５５４５号公報に示されているものがある。
【０００４】
図１０は従来のマイナスイオン発生装置を有する冷蔵庫のマイナスイオン発生回路図である。図１０に示すように、昇圧回路１により直流高電圧を発生させる高電圧発生部と、昇圧回路の正の出力端子１ａを接地すると共に、負の出力端子１ｂに接続された陰極２をマイナスイオン発生部とするマイナスイオン発生装置Ａを、冷蔵庫の貯蔵室内、および貯蔵室外の冷気通路内の少なくとも一方に設置されている。
そして、冷気通路内にて庫内気流（主として空気）をマイナスイオン発生装置Ａの陰極２に接触させることにより気流に電子を付与してマイナスイオン（主としてＯ２−）を発生させ、これを貯蔵室内に送給する。
【０００５】
【発明が解決しようとする課題】
しかしながら、マイナスイオン発生装置Ａは比較的大きく、庫内の収納スペースを減少させてしまうという問題を有していた。また、マイナスイオン発生装置Ａを動作させるための電源が必要となり、消費電力量を増大させてしまうという問題を有していた。
【０００６】
本発明は上記従来の課題を解決するもので、マイナスイオン発生のための電源を必要とせず、消費電力量を低減でき、設置のためのスペースも小さくでき、使い勝手を向上させることができ、マイナスイオンによる脱臭、抗菌作用を有する冷蔵庫を提供することを目的とする。また、マイナスイオン発生のための電極を有しないことにより冷蔵庫の冷媒に可燃性を有する自然冷媒を適用しても、不安全にならない冷蔵庫を提供するものである。
【０００７】
【課題を解決するための手段】
本発明の請求項１に記載の通風ダクトの発明は、マイナスイオンを発生するイオンシートを内壁面に配設したものであり、通風ダクト内の通風抵抗を妨げず、発生したマイナスイオンを通過する空気により効果的に対象空間に排出し、対象空間の脱臭，抗菌効果を発揮させることができる。また、同時に通風ダクト自体で発生する臭気や黴などに対する脱臭，抗菌効果も発揮できる。
【０００８】
請求項２に記載の通風ダクトの発明は、マイナスイオンを発生するイオンシートを内部空間に配置したものであり、マイナスイオンの発生面が増大し、通風ダクト内を通過する空気との接触面積が大きくなり、対象空間や通風ダクト自体の脱臭，抗菌効果を一層高めることができる。
【０００９】
請求項３に記載の通風ダクトの発明は、請求項１または請求項２に記載の発明において、イオンシートは柔軟性を有する部材で形成したものであり、通風ダクトの内壁面や内部の形状に沿って効果的な位置に自由度をもって配設することができる。
【００１０】
請求項４に記載の通風ダクトの発明は、請求項１から請求項３のいずれか一項に記載の発明において、イオンシートはイオン放出材をポリマーに混合した複合体を母材に付加したものであり、母材の選定により付設対象に合わせて多様な形態を実現することができる。
【００１１】
請求項５に記載の通風ダクトの発明は、請求項３または請求項４に記載の発明において、イオンシートの表面に粘着材を付加したものであり、通風ダクトの内面構成材に容易に強力に貼り付け固定することができる。
【００１２】
請求項６に記載の冷蔵庫の発明は、庫内を冷却する蒸発器と冷却ファンを有し、前記蒸発器と前記庫内を連通する通風ダクト内にイオンシートを備えたものであり、マイナスイオン発生用の電極、電源などの特別な装置を必要とせず、低コストでマイナスイオンを供給することができる。また、イオンシートはシート状である為、マイナスイオン発生装置の収納スペースを取る必要がなく冷却ダクト内の占有スペースを小さくすることができ、その分冷蔵庫の貯蔵室の内容積を大きくすることができる。
【００１３】
請求項７に記載の冷蔵庫の発明は、請求項６に記載の発明において、イオンシートを蒸発器の上流側の吐出風路内に備えたものであり、発生したマイナスイオンを空気の吐出流にのせて貯蔵室内の各所へ供給し、貯蔵室内に満遍なく脱臭，抗菌効果を発揮することができる。
【００１４】
請求項８に記載の冷蔵庫の発明は、請求項６に記載の発明において、イオンシートを蒸発器の上流側の吸込み風路内に備えたものであり、蒸発器を含む冷却ダクト内へのマイナスイオンの供給ができ、冷却ダクト内にも脱臭，抗菌効果を発揮することができる。
【００１５】
請求項９に記載の冷蔵庫の発明は、請求項７に記載の発明において、通風ダクト内に設けるイオンシートは、内箱と風路構成用断熱材と貯蔵室背面構成部材により構成した通風ダクトの、風路構成用断熱材に貼り付けたものであり、冷却ダクトを内箱に組み込む前にイオンシートを取り付け可能となり、作業性が向上する。また、貯蔵室吐出口との配置ばらつきを低減できる。
【００１６】
請求項１０に記載の冷蔵庫の発明は、請求項７に記載の発明において、吐出風路内に設けるイオンシートは吐出口より５０ｍｍ以内に位置させたものであり、イオンシートより発生したマイナスイオンの減衰を抑えて貯蔵室に効率よく供給できる。
【００１７】
請求項１１に記載の冷蔵庫の発明は、請求項１０に記載の発明において、吐出風路内に設けるイオンシートは、風路構成用断熱材の冷気シール部から風路部まで貼り付けられ、前記イオンシート端部は冷気シール部で固定されたものであり、イオンシートの剥がれを防止し、信頼性を向上することができる。
【００１８】
請求項１２に記載の冷蔵庫の発明は、請求項１１に記載の発明において、吐出風路内に設けるイオンシートは、内箱に設けられた突起部により、風路構成用断熱材と前記突起部にて固定したものであり、イオンシートの浮き上がりが防止され、風路阻害を起こさなくなる。
【００１９】
請求項１３に記載の冷蔵庫の発明は、請求項８に記載の発明において、吸込み風路内に設けるイオンシートは、貯蔵室背面構成部材に凹みを設け、凹み部に貫通穴を有し、前記凹み部にイオンシートを配置したものであり、位置決めが確実になるとともに、イオンシートが吸込み風路内に突出して風路を阻害することがない。
【００２０】
請求項１４に記載の冷蔵庫の発明は、請求項１３に記載の発明において、イオンシートを配置した凹み部にカバーを設けたものであり、イオンシートが貯蔵室内側に脱落することがない。
【００２１】
請求項１５に記載の冷蔵庫の発明は、請求項１４に記載の発明において、カバーは略透明材料からなるものであり、カバーを外さずに内部にイオンシートが確実に配置しているかを確認できる。
【００２２】
請求項１６に記載の冷蔵庫の発明は、請求項８に記載の発明において、吸込み風路内に脱臭触媒とイオンシートを設け、前記脱臭触媒を前記イオンシートの下流側に設けたものであり、マイナスイオンの脱臭、抗菌作用に加え、イオンシートで対処できなかった臭い成分を脱臭触媒で分解し、脱臭効果の相乗効果を得ることができる。
【００２３】
請求項１７に記載の冷蔵庫の発明は、請求項１６に記載の発明において、脱臭触媒とイオンシートを近接して配置したものであり、近接することによりイオンシートで対処できなかった臭い成分を脱臭触媒で効果的に確実に分解できる。
【００２４】
請求項１８に記載の冷蔵庫の発明は、野菜室を有する冷蔵庫において、前記野菜室にマイナスイオンを発生するイオンシートを設け、前記イオンシートは内箱に配設するとともに前記イオンシートの上方に庇を設けたものであり、野菜室内の脱臭、抗菌作用を高めることができ、かつイオンシートへの水かかりを防止できマイナスイオン発生作用の低下を防止できる。
【００２５】
請求項１９に記載の冷蔵庫の発明は、請求項１６に記載の発明において、庇を内箱で一体に形成したものであり、一体形成による工数低減が図れる。
【００２６】
請求項２０に記載の冷蔵庫の発明は、請求項１８に記載の発明において、イオンシートは丸形状としたものであり、イオンシート貼付時の左右傾斜を考慮する必要がなく、作業性が向上する。
【００２７】
請求項２１に記載の冷蔵庫の発明は、請求項２０に記載の発明において、冷凍サイクルの冷媒に可燃性冷媒を用いたものであり、フロンを用いた冷蔵庫に比べ、地球温暖化防止に貢献できるとともに、庫内の脱臭、抗菌による食品鮮度維持に効果があるマイナスイオンを発生させるのに電源あるいは電極などのスパークが発生しない、つまり庫内での着火源を削減でき、冷蔵庫の冷媒にＨＣなどの可燃性冷媒を適用した場合の安全性を高めることができる。
【００２８】
【発明の実施の形態】
以下、本発明の通風ダクト及び冷蔵庫の実施の形態について、図面を参照しながら説明する。
【００２９】
（実施の形態１）
図１は、本発明の実施の形態１による冷蔵庫の側面断面図である。図２は、同実施の形態の冷蔵庫の正面図である。図３は、同実施の形態の要部分解斜視図である。
【００３０】
図１において、３０は冷蔵庫本体であって、樹脂製の内箱３１と鋼鈑製の外箱３２の間に発泡断熱材３３を充填し、断熱箱体を形成している。３４は蒸発器であり、冷却した空気は送風機（図示せず）により、風量調節装置（図示せず）を介して通風ダクトとしての冷却ダクト３５を通り、冷蔵室３６、野菜室３７に送風される。また、冷凍室３８には蒸発器３４より庫内に直接送風される。
【００３１】
冷却ダクト３５は内箱３１と風路構成用断熱材３９により構成されており、風路構成用断熱材３９には冷気シール部４０を構成し、貯蔵室背面構成部材４１を風路構成用断熱材３９を覆いながら内箱３１にビス等により固定することによりシール部４０を内箱３１に密着させ、吐出冷気の冷蔵室３６への冷気漏れを防止している。
【００３２】
また、マイナスイオンを発生するイオンシート４２は、風路構成用断熱材３９の冷却ダクト３５構成側に貼り付けられている。
【００３３】
図２において、４２はイオンシートであり、本実施の形態の場合、風路構成用断熱材３９の吐出口４３の端面より１０ｍｍの位置に貼り付けている。
【００３４】
図３において、４２はイオンシートであり、本実施の形態の場合、風路構成用断熱材３９の一端のシール部４０から風路部４４、そして他端のシール部４０まで貼付けている。これによりイオンシート４２の端部は、風路構成用断熱材３９のシール部４０と内箱３１との間に挟まれて固定される。
【００３５】
また、イオンシート４２に相対した内箱３１から円筒状の突起部４５を形成している。これにより風路部４４においてもイオンシート４２は風路構成用断熱材３９と内箱３１からの突起部４５により固定される。なお、突起部４５は冷却ダクト３５の風路部４４の風路抵抗にならない程度の大きさとし、形状は円筒状以外でも良い。
【００３６】
以上のように構成された冷蔵庫について、以下その動作を説明する。
【００３７】
イオンシート４２は、イオン放出天然鉱石と遠赤外線セラミックをシリコンなどのポリマーに混合させた複合体（例えば世界長社製、商品名：セシオン）を粘着材とともに布地に含浸させシート状に成形したもの、あるいは上記複合体をアルミ等の金属箔の表面に塗付したもので、柔軟性を有しておりマイナスイオンを発生する。そして、マイナスイオンの脱臭、抗菌作用により、冷蔵庫内の食品の鮮度維持向上が可能となるものである。
【００３８】
イオンシート４２は冷却ダクト３５内に貼付けられている為、吐出冷気にマイナスイオンを放出し、冷蔵室内３６全体にすばやく行き渡らすことができる。
【００３９】
また、マイナスイオンの特性として発生してから到達距離が長くなるほど減衰するため、イオンシート４２から吐出口４３までの距離が短いほど効率的にマイナスイオンを冷蔵室３６に送給できる。本実施の形態では、吐出口４３から１０ｍｍの位置にイオンシート４２を貼り付けている。
【００４０】
また、イオンシート４２は風路構成用断熱材３９に貼り付けられている為、冷蔵庫の製造工程において、冷却ダクト３５を内箱３１に組み込む前にイオンシート４２を取付可能となり、作業性が向上する。また、事前に組み込む作業により冷蔵室吐出口４３との配置ばらつきを低減できる。また、成形メーカーから風路構成用断熱材３９を納入する際に、イオンシート４２を貼付けた状態で納入することも可能となり、工数を低減できる。
【００４１】
また、イオンシート４２の端部はシール部４０により、風路構成用断熱材３９と内箱３１に機械的に固定されているため、イオンシート４２の剥がれを防止でき、信頼性を向上することができる。
【００４２】
また、内箱３１からの突起部４５により風路部４４においても、確実に固定されるため、イオンシート４２の経年劣化による剥がれ等により冷却ダクト３５を塞ぐことなく、冷蔵庫の長期信頼性を確保することができる。また、突起部４４を円筒状あるいは楕円状にすることにより、吐出冷気の風路抵抗を減らすことができる。
【００４３】
このように、イオンシート４２は柔軟性を有する母材で形成されているため、上述の例に限らず冷却ダクト３５を形成する内壁面の形状に沿ってさまざまな箇所に貼付けることができ、多少複雑な形状であっても必要な箇所にイオンシート４２を効果的に配設することができるため、合理的な適用設計が可能となる。
【００４４】
しかし、イオンシート４２は柔軟性を持たない母材で形成することも用途に応じては有効であり、形状の固定されたイオンシート４２を冷却ダクト３５の内壁面に沿わせず配設したほうが設計上または組み立て上簡便に行える場合もあるので適宜母材を選択することが望ましい。
【００４５】
また、本実施の形態では冷蔵庫の冷却ダクト３５を例に説明したが、どのような機器であっても、通風ダクトを用いて通風対象に空気を循環させる場合であれば、通風対象の脱臭、または抗菌作用の要求に合わせて、通風ダクトの適所に適量のイオンシート４２を通風ダクト内壁面の形状に大きな制限を受けることなく付設することができ、多様な機器に対して脱臭、または抗菌機能を簡便な方法で付与できる通風ダクトを提供することができる。
【００４６】
このような通風ダクトの例としては、片面は構造物の壁面を利用してこの壁面と対向して中空の空間を形成するカバー上の通風ダクトや他の構造物に依存せずそれのみで通風路を形成する筒上の通風ダクトなどが挙げられ、これらの通風ダクトの内面の一部または大部分に、あるいは一面にまたは複数の面に配設して空気を循環させる対象物の空間にマイナスイオン化された清浄な空気を送り込んで所望の脱臭，抗菌作用を発揮する。対象物は、冷蔵庫をはじめとした食品等の貯蔵機器、あるいは家庭などの居住空間、オフィス，工場などの作業空間，自動車や電車などの乗り物、病院、その他人の集まる空間、動物の存在する空間など脱臭，抗菌作用の要請がある多様な空間への適用，施工が考えられる。
【００４７】
さらに、本実施の形態ではイオンシート４２を冷却ダクト３５内において、風路構成用断熱材３９に貼り付けて用いたが、母材の表裏両面にイオン放出材を分布させるような形態のイオンシートとすれば、冷却ダクト３５内の内部空間に表裏両面を曝して配置し、両面に沿って通過する空気流に対してイオン放出量を一層増加することができ、脱臭または抗菌効果を高めることができる。この場合は上述のように、イオンシート４２の母材は敢えて柔軟性を有さないものを選定する方が取り扱いやすいこともあるので適宜選択することが望ましい。
【００４８】
（実施の形態２）
図４は、本実施の形態２による冷蔵庫の側面断面図、図５は、同実施の形態の冷蔵庫の冷蔵室の風路構成用断熱材および貯蔵室背面構成部材を外した状態の外観図、図６は、同実施の形態の冷蔵庫の冷蔵室の風路構成用断熱材および貯蔵室背面構成部材の斜視図、図７は、同実施の形態の冷蔵庫の冷蔵室の風路構成用断熱材および貯蔵室背面構成部材を風路構成側から見た斜視図、図８は、図６のＡ部拡大分解図、図９は、同実施の形態の冷蔵庫の野菜室のドアおよび貯蔵ケースを外した状態の外観図である。
【００４９】
図４において、５０は冷蔵庫本体で、鋼板で形成した外箱５１と樹脂で成形した内箱５２の内部に樹脂発泡したウレタンフォーム５３で断熱箱体を形成し前面を開口している。そして断熱仕切壁５４により上部貯蔵室と下部貯蔵室に区画している。上部貯蔵室の上方には冷蔵室５５、上部貯蔵室の下方には仕切板５６を介して野菜室５７を有する。また、下部貯蔵室は断熱仕切壁５９を介して上下に区画し、上方には切替室５８と製氷室（図示せず）、下部貯蔵室の下方には冷凍室６０を有している。また冷蔵庫本体５０の下部後方には機械室を有し内部に圧縮機（図示せず）を配置している。また、冷凍サイクル内には、イソブタンなどの炭化水素系冷媒を封入している。
【００５０】
冷蔵室扉６１は冷蔵室５５の前面開口部に位置し、一端を支点として回動するヒンジ式の扉である。６２、６３、６４、はそれぞれ、野菜室５７、切替室５８、冷凍室６０の前方開口部に位置する引出し式の扉である。
【００５１】
通風ダクトである冷却ダクト６５は冷蔵室５５の背面の上下方向に形成し、内箱５２と風路構成用断熱材６６とにより構成される。そして、冷却ダクト６５の上方には冷蔵室用蒸発器６７、さらにその上部には冷蔵室用ファン６８を有している。冷凍室用蒸発器６９は冷凍室６０の背面に設けられ、冷凍室用蒸発器６９の上部には冷凍室用ファン７０を配置している。貯蔵室背面構成部材７１は冷却ダクト６５を構成する風路構成用断熱材６６の前方に位置する。また、上部ダクトカバー７２は前面に吐出口を有し冷蔵室５５の天面に配置され、風路構成用断熱材６６の上部で接続されている。
【００５２】
図５から図９において、風路構成用断熱材６６は、内箱５２側にリブ７３を有し、上部に冷蔵室用ファン６８からの冷気を上部ダクトカバー７２に送る通風口７５と、冷蔵室用ファン６８の側面に形成した通風口７６を有する。そして、リブ７３により冷蔵室用蒸発器６７に向かう吸込み風路と、通風口７５、７６を通り庫内に冷気を吐出する吐出風路に区画している。そして、風路構成用断熱材６６の吐出風路を構成する側には吐出口７４を備え、冷蔵室用蒸発器６７と冷蔵室用ファン６８により冷却された冷気は吐出口７４より吐出され冷蔵室５５を冷却する。また、冷気の一部は上部ダクトカバー７２の前面から吐出される。そして、イオンシート７７は吐出風路内の吐出口７４近傍に貼付られている。
【００５３】
また、貯蔵室背面構成部材７１の吸込み風路を形成する部分には吸込み口７８を有し、吸込み口７８の近傍にもイオンシート７９を配置している。吸込み風路側に設けたイオンシート７９は、図８に示すように貯蔵室背面構成部材７１に凹み部８０を設け、その背面に貫通穴８１を有する。そして、凹み部８０にイオンシート７９を配置し、さらにその上から凹み部８０に略透明材料からなるカバー８２を設けている。カバー８２の側面にはツメ８２ａを有し、凹み部８０の側面に設けた切り欠き部８０ａと嵌合し固定される。
【００５４】
また、貯蔵室背面構成部材７１の吸込み風路を形成する部分にはハニカム状の低温脱臭触媒８３を配置している。低温脱臭触媒８３は、貯蔵室背面構成部材７１から一体で形成したツメ部（図示せず）で固定され、その配置位置は吸込み口７８の近傍でイオンシート７９に近接して、イオンシート７９配置部より下流側（冷蔵室用蒸発器６７に近い側）に設けられている。
【００５５】
また、図９に示すように、野菜室５７の背面の内箱５２に長方形状のイオンシート８４を貼り付けている。そして、イオンシート８４を配置した上部には山型の突起部である庇８５を内箱で一体に成形して設けている。
【００５６】
上記構成において、冷蔵庫本体５０の冷蔵室５５、野菜室５７は冷凍サイクルを構成する冷蔵室用蒸発器６７、冷蔵室用ファン６８の作用により０℃〜５℃に冷却される。また、冷凍室６０は、冷凍室用蒸発器６９、冷凍室用ファン７０の作用により−２０℃程度に冷却され、切替室５８は使用者の選択により冷凍室から野菜室に適した温度に冷却される。
【００５７】
そして、冷蔵室５５の冷却ダクト６５内には、冷蔵室用蒸発器６７の上流側の吸込み風路内にイオンシート７９と下流側の吐出風路内にイオンシート７７を設けているので、庫内でのマイナスイオンの発生量を高め、マイナスイオンの効果（脱臭、抗菌作用）を高めることができる。
【００５８】
また、冷蔵室用蒸発器６７を挟んで上流側（吸込み側）と下流側（吐出側）の両側に配置することにより、冷蔵室５５内へのマイナスイオンの供給と冷蔵室用蒸発器６７を含む冷却ダクト６５内へのマイナスイオンの供給ができ、冷却ダクト６５を含めた冷蔵室内全体でマイナスイオン効果を発することができる。
【００５９】
また、吸込み風路内に設けるイオンシート７９は、貯蔵室背面構成部材７１に凹み部８０を設け、凹み部８０に貫通穴８１を有し、前記凹み部８０にイオンシート７９を配置したことにより、マイナスイオンは貫通穴８１を通り供給されるとともに、イオンシート７９の組込み時の位置決めが確実になる。また、イオンシート７９が吸込み風路内に突出して冷却ダクト６５を阻害することがない。
【００６０】
また、イオンシート７９を配置した凹み部８０にカバー８２を設けたものであり、イオンシート７９が冷蔵室５５内側に脱落することがなく長期信頼性が確保される。
【００６１】
また、カバー８２は略透明材料からなるものであり、カバー８２を外さずに凹み部８０の内部にイオンシート７９が確実に配置しているかを一目で確認でき、組立時の欠品防止を図れる。
【００６２】
また、貯蔵室背面構成部材７１の吸込み風路内にハニカム状の低温脱臭触媒８３とイオンシート７９を設け、低温脱臭触媒８３は吸込み口７８の近傍で、イオンシート７９配置部より下流側（冷蔵室用蒸発器６７に近い側）に設けられているので、マイナスイオンの脱臭、抗菌作用に加え、イオンシート７９で対処できなかった臭い成分を低温脱臭触媒８３で分解し、脱臭効果の相乗効果を得ることができる。
【００６３】
また、イオンシート７９に近接して低温脱臭触媒８３を配置しているので、近接することによりイオンシート７９で対処できなかった臭い成分を低温脱臭触媒８３で効果的に確実に分解できる。
【００６４】
また、冷蔵室５５内にイオンシート７７、７９を配置したものに、さらに野菜室５７にマイナスイオンを発生するイオンシート８４を設けたものであり、冷蔵室５５に加え野菜室５７内の脱臭、抗菌作用を高めることができ、冷蔵温度帯全体の脱臭、食品鮮度保持が可能となる。
【００６５】
また、野菜室５７の背面の内箱５２に長方形状のイオンシート８４を貼り付けその上部には庇８５を設けているので、内箱の上方より伝ってくる水は山形の突起形状を伝って左右に分岐されてイオンシート８４への水かかりを防止でき、水分付着によるマイナスイオン発生作用の低下を防止できる。
【００６６】
また、庇８５は内箱で一体に成形しているので、製造工程での工数低減が図れる。
【００６７】
なお、野菜室５７の背面の内箱５２に貼り付けるイオンシート８４は、丸形状でも良い。この場合、イオンシート８４が丸形状のため、貼付時の左右傾斜を考慮する必要がなく、作業性が向上する。
【００６８】
また、野菜室５７の背面の内箱５２に貼り付けるイオンシート８４の形状に対応して、内箱５２に凹み部を設けても良い。この場合、貼付時の位置決めが容易となり、作業性が向上する。
【００６９】
また、野菜室５７の背面の内箱５２に貼り付けるイオンシート８４の上部に設ける庇８５は内箱成型が不合理な形状や角度であれば別部品として取付けても良い。
【００７０】
なお、本発明は、電源を必要とせずマイナスイオンを発生する物質（イオン放出天然鉱石と遠赤外線セラミックをシリコンなどのポリマーに混合させた複合体）を粘着材とともに布地に含浸させシート状に成形したものを冷蔵庫に用いたところに特徴があり、マイナスイオンを発生する物質を冷蔵庫の構成部材に練り込んだりする場合に比べ、マイナスイオン発生量を多くすることができる。これは樹脂等に練りこむと周囲との接触部分が減るためである。また、練り込む手間が不要であり、コスト低減が可能となる。また、シート状であるため、サービス、あるいは交換時等の取り外しが自由に行なえるという効果がある。また、シート状であるため、自由な大きさに加工ができ、設計自由度が向上する。
【００７１】
また、本発明の冷蔵庫は、マイナスイオンを発生させるのに電源あるいは電極などのスパークが発生しない、つまり庫内での着火源を削減でき、冷蔵庫の冷凍サイクル内の冷媒に炭化水素などの可燃性冷媒を適用した場合の安全性を高めることができる。
【００７２】
【発明の効果】
以上説明したように本発明の請求項１に記載の通風ダクトの発明は、マイナスイオンを発生するイオンシートを内壁面に配設したので、通風ダクト内の通風抵抗を妨げず、効果的に対象空間及び通風ダクト自体の脱臭，抗菌効果を発揮できる。
【００７３】
また、請求項２に記載の通風ダクトの発明は、マイナスイオンを発生するイオンシートを内部空間に配置したので、マイナスイオンの発生面が増大し、通風ダクト内を通過する空気との接触面積が大きくなり、脱臭，抗菌効果を一層高めることができる。
【００７４】
また、請求項３に記載の通風ダクトの発明は、請求項１または請求項２に記載の発明において、イオンシートは柔軟性を有する部材で形成したので、通風ダクトの内部形状に沿って、効果的な位置に任意に配設でき、最大限の効果を発揮できる。
【００７５】
また、請求項４に記載の通風ダクトの発明は、請求項１から請求項３のいずれか一項に記載の発明において、イオンシートはイオン放出材をポリマーに混合した複合体を母材に付加したので、母材の選定により多様な形態を実現でき、適用対象の範囲を広げることができる。
【００７６】
また、請求項５に記載の通風ダクトの発明は、請求項３または請求項４に記載の発明において、イオンシートの表面に粘着材を付加したので、通風ダクト内に簡便に貼り付け固定でき、組み立ての作業性や自由度を高めることができる。
【００７７】
また、請求項６に記載の冷蔵庫の発明は、蒸発器と庫内を連通する通風ダクト内にイオンシートを備えたので、収納スペースを取らず冷却ダクト内の占有スペースを小さくすることができ、その分貯蔵室の内容積を大きくすることができる。
【００７８】
また、請求項７に記載の冷蔵庫の発明は、請求項６に記載の発明において、イオンシートを蒸発器の上流側の吐出風路内に備えたので、マイナスイオンを貯蔵室内の各所へ供給し、満遍なく脱臭，抗菌効果を発揮することができる。
【００７９】
また、請求項８に記載の冷蔵庫の発明は、請求項６に記載の発明において、イオンシートを蒸発器の上流側の吸込み風路内に備えたので、蒸発器を含む冷却ダクト内へのマイナスイオンの供給ができ、冷却ダクト内にも脱臭，抗菌効果を発揮することができる。
【００８０】
また、請求項９に記載の冷蔵庫の発明は、請求項７に記載の発明において、通風ダクト内に設けるイオンシートは、内箱と風路構成用断熱材と貯蔵室背面構成部材により構成した通風ダクトの、風路構成用断熱材に貼り付けたので、冷却ダクトを内箱に組み込む前にイオンシートを取り付け、作業性が向上する。また、貯蔵室吐出口との配置ばらつきを低減できる。
【００８１】
また、請求項１０に記載の冷蔵庫の発明は、請求項７に記載の発明において、吐出風路内に設けるイオンシートは吐出口より５０ｍｍ以内に位置させたので、イオンシートより発生したマイナスイオンの減衰を抑えて貯蔵室に効率よく供給できる。
【００８２】
また、請求項１１に記載の冷蔵庫の発明は、請求項１０に記載の発明において、吐出風路内に設けるイオンシートは、風路構成用断熱材の冷気シール部から風路部まで貼り付けられ、イオンシート端部は冷気シール部で固定されたので、イオンシートの剥がれを防止し、信頼性を向上することができる。
【００８３】
また、請求項１２に記載の冷蔵庫の発明は、請求項１１に記載の発明において、吐出風路内に設けるイオンシートは、内箱に設けられた突起部により、風路構成用断熱材と突起部で固定したので、イオンシートの浮き上がりが防止され、風路阻害を起こさなくなる。
【００８４】
また、請求項１３に記載の冷蔵庫の発明は、請求項８に記載の発明において、吸込み風路内に設けるイオンシートは、貯蔵室背面構成部材に凹みを設けて配設し、凹み部に貫通穴を有したので、位置決めが確実になるとともに、イオンシートが吸込み風路内に突出して風路を阻害することがない。
【００８５】
また、請求項１４に記載の冷蔵庫の発明は、請求項１３に記載の発明において、イオンシートを配置した凹み部にカバーを設けたので、イオンシートが貯蔵室内側に脱落することがない。
【００８６】
また、請求項１５に記載の冷蔵庫の発明は、請求項１４に記載の発明において、カバーは略透明材料からなるので、カバーを外さずに内部にイオンシートが確実に配置しているかを確認できる。
【００８７】
また、請求項１６に記載の冷蔵庫の発明は、請求項８に記載の発明において、吸込み風路内に脱臭触媒とイオンシートを設け、脱臭触媒をイオンシートの下流側に設けたので、マイナスイオンの脱臭、抗菌作用に加え、イオンシートで対処できなかった臭い成分を脱臭触媒で分解し、脱臭効果の相乗効果を得ることができる。
【００８８】
また、請求項１７に記載の冷蔵庫の発明は、請求項１６に記載の発明において、脱臭触媒とイオンシートを近接して配置したので、近接することによりイオンシートで対処できなかった臭い成分を脱臭触媒で効果的に確実に分解できる。
【００８９】
また、請求項１８に記載の冷蔵庫の発明は、野菜室を有する冷蔵庫において、野菜室にマイナスイオンを発生するイオンシートを内箱に配設するとともにイオンシートの上方に庇を設けたので、野菜室内の脱臭、抗菌作用を高めることができ、かつイオンシートへの水かかりを防止できマイナスイオン発生作用の低下を防止できる。
【００９０】
また、請求項１９に記載の冷蔵庫の発明は、請求項１６に記載の発明において、庇を内箱で一体に形成したので、一体形成による工数低減が図れる。
【００９１】
また、請求項２０に記載の冷蔵庫の発明は、請求項１８に記載の発明において、イオンシートは丸形状としたので、イオンシート貼付時の左右傾斜を考慮する必要がなく、作業性が向上する。
【００９２】
また、請求項２１に記載の冷蔵庫の発明は、請求項２０に記載の発明において、冷凍サイクルの冷媒に可燃性冷媒を用いたので、マイナスイオン発生のための電源，電極などのスパークが発生せず、庫内での着火源を削減でき、冷媒に可燃性冷媒を適用した場合の安全性を高めることができる。
【図面の簡単な説明】
【図１】本発明による冷蔵庫の実施の形態１の側面断面図
【図２】同実施の形態の冷蔵庫の庫内正面図
【図３】同実施の形態の冷蔵庫の要部分解斜視図
【図４】本発明による冷蔵庫の実施の形態２の側面断面図
【図５】同実施の形態の冷蔵庫の冷蔵室の風路構成用断熱材および貯蔵室背面構成部材を外した状態の外観図
【図６】同実施の形態の冷蔵庫の冷蔵室の風路構成用断熱材および貯蔵室背面構成部材の斜視図
【図７】同実施の形態の冷蔵庫の冷蔵室の風路構成用断熱材および貯蔵室背面構成部材を風路構成側から見た斜視図
【図８】図６のＡ部拡大分解図
【図９】同実施の形態の冷蔵庫の野菜室のドアおよび貯蔵ケースを外した状態の外観図
【図１０】従来の冷蔵庫のマイナスイオン発生回路図
【符号の説明】
３１、５２　内箱
３５、６５　冷却ダクト（通風ダクト）
３６、５５　冷蔵室
３７、５７　野菜室
３９、６６　風路構成用断熱材
４０　シール部
４１、７１　貯蔵室背面構成部材
４２、７７，７９，８４　イオンシート
４３、７４　吐出口
４４　風路部
４５　突起部
５０　冷蔵庫
６７　冷蔵室用蒸発器
６８　冷蔵室用ファン
７８　吸込み口
８０　凹み部
８１　貫通穴
８２　カバー
８３　低温脱臭触媒
８５　庇
【図１】
2004061014.tif 000003
【図２】
2004061014.tif 000004
【図３】
2004061014.tif 000005
【図４】
2004061014.tif 000006
【図５】
2004061014.tif 000007
【図６】
2004061014.tif 000008
【図７】
2004061014.tif 000009
【図８】
2004061014.tif 000010
【図９】
2004061014.tif 000011
【図１０】
2004061014.tif 000012